(57)【要約】【課題】  従来の一般家庭用冷蔵庫の冷凍室内における製氷器においては、氷を取り出したあとに新たに水を製氷器に注ぎ冷凍室に置き製氷させるが、その冷凍庫の温度設定により異なるが氷結時間が長く掛かり過ぎていた課題を解決する製氷器である。【解決手段】本発明は、一般家庭用冷蔵庫の冷凍室内における製氷器及び製氷皿に保冷材を施し保冷効果をもたせることにより、１度製氷した氷を取り出した後すぐに新たに水を注いで冷凍室内で製氷することにおいて、その保冷材の保冷効果による水の冷却速度を早めて氷結を短縮させる製氷器及び製氷皿である。【選択図】  図１
2008064359.tif 000002
【特許請求の範囲】
【請求項１】
冷蔵庫の冷凍室において製氷する製氷器を、金属系・プラスチック系・炭素系新素材・セラミック系・木質及び紙質系で成型する製氷器の殻壁内に中空を設けた中に液体・ジェル状半液体・固体粒子及び固体の保冷材を施した保冷効果のあるボックス棚数段形態の製氷器と、その製氷器のボックス内に金属系・プラスチック系・炭素系新素材・セラミック系・木質及び紙質系で成型する製氷皿を設け、その製氷皿に数個の間仕切りした多角形状及び丸型形状の製氷ポケットを数個施した間仕切りした壁に中空を設けた中に液体・ジェル状半液体・固体粒子及び固体の保冷材を施して熱交換する接触面積を増すことにより保冷効果のある製氷皿で水の氷結を早めて製氷することが出来る形態を特徴とする、製氷器及び製氷皿である。
【請求項２】
また、冷蔵庫の冷凍室において保冷材を施した製氷皿を、そのまま冷蔵庫の冷凍室に置いても水の氷結を早める効果があり製氷する事が出来る形態を特徴とする、請求項１の製氷皿である。
【発明の詳細な説明】
【技術分野】
【０００１】
従来の一般家庭用冷蔵庫の冷凍室内における製氷器及び製氷皿の時間短縮製氷に関するものである。
【背景技術】
【０００２】
従来の一般家庭用冷蔵庫の冷凍室内における製氷器及び製氷皿においては、製氷に時間が掛るために他の器に製氷を貯め置きし使用していたが使い切ると新たに水が製氷されるまで長時間待つ必要があった。
【０００３】
また、製氷器及び製氷皿に保冷効果をもたせた器が特許文献には無く製氷する氷の形状などの工夫が施された製氷器及び製氷皿はある。
【０００４】
【特許文献１】特開２００３−３２２４４２１
【特許文献２】特開平１１−２８３０４
【特許文献３】登録実用新案第３００２４７５号
【発明の開示】
【発明が解決しようとする課題】
【０００５】
従来の一般家庭用冷蔵庫の冷凍室内における製氷器及び製氷皿においては、氷を取り出したあとに新たに水を注ぎ冷凍室に置き製氷させるが、その冷凍庫の温度設定により異なるが製氷器及び製氷皿に保冷効果が無く水を冷凍室内冷気で冷却するために氷結時間に長時間掛かる課題を解決するものである。
【０００６】
さらに、その製氷器及び製氷皿に保冷効果が無く冷凍室内冷却の時間を短縮させて冷気熱エネルギーの損失を軽減させることの課題を解決するものである。
【課題を解決するための手段】
【０００７】
本発明の目的を達するために、製氷器及び製氷皿の器壁に中空を設けた中に液体・ジェル状半液体・固体粒子及び固体の保冷材を施し１度製氷した氷を取り出した後にも製氷器及び製氷皿の保冷効果を維持して新たに水を注いで冷凍室内で再度製氷することにおいて、製氷器及び製氷皿の保冷効果により水の冷却速度を早め氷結させたものである。
【０００８】
さらに、製氷器及び製氷皿の保冷効果を維持することにより、冷凍庫を開け閉めによる冷凍室内温度上昇で冷気熱エネルギーの損失することを保冷効果にて急速に冷却することで電気エネルギー損失を軽減させたものである。
【発明の効果】
【０００９】
本発明の効果については、通常一般的家庭用冷蔵庫の冷凍室内で保冷材を施した製氷器及び製氷皿の保冷効果で氷結時間を早めることでより多くの氷を短時間で製氷することができる。
【００１０】
また、一般的家庭用冷蔵庫の冷凍室とは別に自動製氷機を設置したものがあるが製造コストや消費電力コストが掛るために、自動製氷機の無い冷蔵庫の冷凍室内で保冷材を施した製氷器及び製氷皿を簡単な装置の保冷効果器にすることにより、製氷や冷凍室内気体の温度を保冷効果において急速に冷却することで、製造コストや電気エネルギー損失を軽減させて多くの氷を短時間で製氷することができる。
【発明を実施するための最良の形態】
【００１１】
以下、本発明の実施形態を図１〜図２に基づいて説明する。
【００１２】
図１においては、冷凍室に置く製氷器１及び製氷皿３を金属系・プラスチック系・炭素系新素材・セラミック系・木質及び紙質系で成型した横断面図で、その製氷器1の外殻１−ａ形状壁内に中空２を設けた中に液体・ジェル状半液体・固体粒子及び固体の保冷材２を施したボックス棚形態製氷器1の棚段ボックス内１−ｂ・１−ｃ・１−ｄに金属系・プラスチック系・炭素系新素材・セラミック系・木質及び紙質系で成型した製氷皿３のポケット５を数個施した形状壁内に中空４を設けた中に液体・ジェル状半液体・固体粒子及び固体の保冷材４を施してポケット５の氷結する水６と保冷接触面積を増したことで第二熱力学の示す熱の一方通行熱交換において、保冷材４の保冷効果で水６の氷結を早く促して製氷することが出来る形態である。
【００１３】
さらに、冷凍室内の開け閉めによる冷凍室内の冷気流出及び外気流入で温度上昇においても、冷凍室内の外気流入の温気を保冷効果のある製氷器1及び製氷皿3との接触面積を多く接することで第二熱力学の示す熱の一方通行熱交換において、その冷凍室内に流入した温気を短時間に冷却し冷凍室内の温度を下げて冷気熱エネルギーの損失を軽減させることが出来る形態である。
【００１４】
図２においては、冷凍室に置く金属系・プラスチック系・炭素系新素材・セラミック系・木質及び紙質系の図１で示す製氷器1の中にセットする製氷皿3の平面図を示したもので、その製氷皿３に数個の間仕切りを設けた製氷ポケット５の間仕切り壁５−ａの中に中空５−ｂを設けて液体・ジェル状半液体・固体粒子及び固体の保冷材４を施して製氷ポケット５内の製氷する水６を保冷効果のあるポケット壁５−ａに接触面積を多く接しさせて、水の氷結を早く促して製氷することが出来る形態である。
【図面の簡単な説明】
【００１５】
【図１】製氷器及び製氷皿の横断面図
【図２】製氷皿の平面図
【符号の説明】
【００１６】
１  製氷器
１−ａ  製氷器の外殻
１−ｂ  製氷器のボックス棚形状空間１段目
１−ｃ  製氷器のボックス棚形状空間２段目
１−ｄ  製氷器のボックス棚形状空間３段目
１−ｅ  製氷皿を出し入れ時の指差し空間
２  製氷器の殻壁内中空と、その中空に施した保冷材
３  製氷皿
４  製氷皿の皿形状壁内中空と、その中空に施した保冷材
５  製氷皿の水を氷結する製氷ポケット
５−ａ  製氷皿製氷ポケットの間仕切り壁
５−ｂ  製氷皿製氷ポケットの間仕切り壁中空と、その中空に施した保冷材
６  製氷ポケット内の水又は氷
【図１】
2008064359.tif 000003
【図２】
2008064359.tif 000004
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
冷蔵庫の冷凍室において製氷する製氷器を、金属系・プラスチック系・炭素系新素材・セラミック系・木質及び紙質系で成型する製氷器の殻壁内に中空を設けた中に液体・ジェル状半液体・固体粒子及び固体の保冷材を施した保冷効果のあるボックス棚数段形態の製氷器と、その製氷器のボックス内に金属系・プラスチック系・炭素系新素材・セラミック系・木質及び紙質系で成型する製氷皿を設け、その製氷皿に数個の間仕切りした多角形状及び丸型形状の製氷ポケットを数個施した間仕切りした壁に中空を設けた中に液体・ジェル状半液体・固体粒子及び固体の保冷材を施して熱交換する接触面積を増すことにより保冷効果のある製氷皿で水の氷結を早めて製氷することが出来る形態を特徴とする、製氷器及び製氷皿である。
【手続補正２】
【補正対象書類名】明細書
【補正対象項目名】０００４
【補正方法】変更
【補正の内容】
【０００４】
【特許文献１】特開平１１−２８３０４
【非特許文献１】第３００２４７５号